(57)【特許請求の範囲】
【請求項１】
椅子に着座した使用者の背部および頭部を支持するための体位補助具であって、
前記椅子の背板の前面または後面に重ねて配置される枠体と、
前記枠体に取り付けられたカバーと、を備え、
前記枠体の上部には、左右一対の支持フレームが設けられ、
前記両支持フレームには、頭部支持ベルトが左右方向に掛け渡されており、
前記頭部支持ベルトの一端は、一方の前記支持フレームに取り付けられ、
前記頭部支持ベルトは、前後に折り返されて他方の前記支持フレームに巻き付けられ、
前記頭部支持ベルトの他端は、前記両支持フレームの間で前記頭部支持ベルトの後面に重ね合わされており、
前記頭部支持ベルトの長さを変えるためのベルト長さ調節機構を有することを特徴とする体位補助具。
【請求項２】
椅子に着座した使用者の背部および頭部を支持するための体位補助具であって、
前記椅子の背板の前面または後面に重ねて配置される枠体と、
前記枠体に取り付けられたカバーと、を備え、
前記枠体の上部には、左右一対の支持フレームが設けられ、
前記両支持フレームには、頭部支持ベルトが左右方向に掛け渡されており、
前記頭部支持ベルトの長さを変えるためのベルト長さ調節機構を有し、
前記両支持フレームの間には枕が配置されており、
前記枕は、前記枠体に対して前後方向に傾動自在であり、
前記枕の後面は前記頭部支持ベルトに支持されていることを特徴とする体位補助具。
【請求項３】
前記ベルト長さ調節機構は、
前記頭部支持ベルトに設けられた面ファスナーであり、
前記面ファスナーの接合位置を変えることで、前記頭部支持ベルトの長さが変わることを特徴とする請求項１または請求項２に記載の体位補助具。
【発明の詳細な説明】
【技術分野】
【０００１】
本発明は、椅子に着座した使用者の体位を安定させるための体位補助具に関する。
【背景技術】
【０００２】
車椅子に着座した患者の歯科治療を行うときには、車椅子の背板よりも上方に配置された患者の背部および頭部を安定させる必要がある。
車椅子に着座した患者の体位を安定させるための体位補助具としては、背板に取り付けられる枠体と、枠体に被せられたカバーと、を備えているものがある（例えば、特許文献１参照）。
【０００３】
前記した体位補助具を患者の背部と車椅子の背板との間に挿入することによって、患者の背部および頭部を支持することができる。
【先行技術文献】
【特許文献】
【０００４】
【特許文献１】特開２０１２−１５７３９０号公報
【発明の概要】
【発明が解決しようとする課題】
【０００５】
前記した従来の体位補助具では、患者の頭部を支持する部位が固定されているため、歯科治療の治療内容に応じて、患者の頭部の角度を調整することができないという問題がある。
【０００６】
本発明は、前記した問題を解決し、使用者の背部および頭部を安定させるとともに、使用者の頭部の角度を調整することができる体位補助具を提供することを課題とする。
【課題を解決するための手段】
【０００７】
前記課題を解決するため、第一の発明は、椅子に着座した使用者の背部および頭部を支持するための体位補助具であって、前記椅子の背板の前面または後面に重ねて配置される枠体と、前記枠体に取り付けられたカバーと、を備えている。前記枠体の上部には、左右一対の支持フレームが設けられ、前記両支持フレームには、頭部支持ベルトが左右方向に掛け渡されている。前記頭部支持ベルトの一端は、一方の前記支持フレームに取り付けられ、前記頭部支持ベルトは、前後に折り返されて他方の前記支持フレームに巻き付けられ、前記頭部支持ベルトの他端は、前記両支持フレームの間で前記頭部支持ベルトの後面に重ね合わされている。前記頭部支持ベルトの長さを変えるためのベルト長さ調節機構を有している。
【０００８】
この構成では、使用者の頭部を頭部支持ベルトの前面で支持し、頭部支持ベルトを緩めることで、使用者の頭部を後方に向けて傾倒させることができる。このように、本発明の体位補助具では、頭部支持ベルトの長さを変えることで、使用者の頭部の角度を調整することができる。したがって、本発明の体位補助具では、例えば、歯科治療などの治療内容に応じて、使用者の頭部の角度を調整することができるため、使用者を治療し易くなる。
【０００９】
なお、ベルト長さ調整機構としては、例えば、面ファスナー、スナップボタンまたはバックルなどの調整手段を用いることができる。
そして、前記ベルト長さ調節機構が前記頭部支持ベルトに設けられた面ファスナーである場合には、前記面ファスナーの接合位置を変えることで、前記頭部支持ベルトの長さを変えることができる。この構成では、頭部支持ベルトの長さを簡単に微調整することができるため、使用者の頭部を所望の角度に的確に傾倒させることができる。
【００１０】
前記課題を解決するため、第二の発明は、椅子に着座した使用者の背部および頭部を支持するための体位補助具であって、前記椅子の背板の前面または後面に重ねて配置される枠体と、前記枠体に取り付けられたカバーと、を備えている。前記枠体の上部には、左右一対の支持フレームが設けられ、前記両支持フレームには、頭部支持ベルトが左右方向に掛け渡されている。前記頭部支持ベルトの長さを変えるためのベルト長さ調節機構を有している。前記両支持フレームの間に枕を配置し、前記枕が前記枠体に対して前後方向に傾動自在であり、前記枕の後面を前記頭部支持ベルトに支持する。この構成では、枕を枠体に対して後方に傾動させたときに、枕の傾倒角度を調整することができる。
【発明の効果】
【００１１】
本発明の体位補助具では、頭部支持ベルトの長さを調整することで、使用者の頭部の角度を必要に応じて調整することができる。
【図面の簡単な説明】
【００１２】
【図１】本発明の第一実施形態に係る体位補助具の使用状態を示した側面図である。
【図２】本発明の第一実施形態に係る体位補助具の斜視図である。
【図３】本発明の第一実施形態に係る体位補助具を示した図で、（ａ）は正面図、（ｂ）は下部枠体を下方から見た図である。
【図４】本発明の第一実施形態に係る体位補助具を示した側面図である。
【図５】本発明の第一実施形態に係るロック部材を示した図で、（ａ）はロック部材を上方から見た図、（ｂ）は突起部を係合溝に係合する前の状態を前方から見た図、（ｃ）は突起部を係合溝に係合させた状態を前方から見た図である。
【図６】本発明の第一実施形態に係る体位補助具において、下部枠体および上部枠体にカバーを被せる態様を示した説明図である。
【図７】本発明の第一実施形態に係る体位補助具において、下部枠体および上部枠体を閉じた状態を示した側面図である。
【図８】本発明の第一実施形態に係る頭部支持ベルトを示した図で、（ａ）は頭部支持ベルトの平面断面図、（ｂ）は頭部支持ベルトを緩めた状態の平面断面図である。
【図９】本発明の第一実施形態に係る頭部支持ベルトを示した図で、（ａ）は頭部支持ベルトの側断面図、（ｂ）は頭部支持ベルトを緩めた状態の側断面図である。
【図１０】本発明の第二実施形態に係る体位補助具の斜視図である。
【図１１】本発明の第二実施形態に係る頭部支持ベルトを示した図で、（ａ）は頭部支持ベルトの平面断面図、（ｂ）は頭部支持ベルトを緩めた状態の平面断面図である。
【図１２】本発明の第二実施形態に係る頭部支持ベルトを示した図で、（ａ）は頭部支持ベルトの側断面図、（ｂ）は頭部支持ベルトを緩めた状態の側断面図である。
【発明を実施するための形態】
【００１３】
本発明の実施形態について、適宜図面を参照しながら詳細に説明する。
なお、各実施形態の説明において、同一の構成要素に関しては同一の符号を付し、重複した説明は省略するものとする。
【００１４】
［第一実施形態］
第一実施形態では、図１に示すように、車椅子２に着座した患者Ｍの歯科治療を行うときに、患者Ｍの体位を安定させるための体位補助具１について説明する。
【００１５】
体位補助具１は、車椅子２の背板３に取り付けられる下部枠体１０と、下部枠体１０に対して折り畳み自在に連結された上部枠体２０と、上部枠体２０に設けられた二つのロック部材３０，３０（図２参照）と、を備えている。また、体位補助具１は、下部枠体１０に設けられた二つのベルト４０，４０と、下部枠体１０および上部枠体２０に取り付けられたカバー５０と、上部枠体２０に取り付けられた二つの頭部支持ベルト６０，６０と、を備えている。
【００１６】
体位補助具１は、下部枠体１０および上部枠体２０を開いた状態で、患者Ｍの背部Ｍｂと車椅子２の背板３との間に挿入し、二つのベルト４０，４０によって下部枠体１０を背板３に取り付ける。これにより、患者Ｍの背部Ｍｂおよび頭部Ｍａをカバー５０の上部および頭部支持ベルト６０によって支持することができる。
【００１７】
下部枠体１０は、図３（ａ）に示すように、左右一対の側部フレーム１１，１１と、左右の側部フレーム１１，１１の下端部同士を連結する下端フレーム１２と、を備えている。左右の側部フレーム１１，１１は下端フレーム１２に対して垂直に配置されている。
側部フレーム１１は金属製のパイプである。左右の側部フレーム１１，１１の幅は、車椅子２の背板３（図１参照）の幅よりも僅かに小さく形成されている。
【００１８】
下端フレーム１２は、図３（ｂ）に示すように、前後方向の厚さが側部フレーム１１よりも小さい平板である。下端フレーム１２の両端部は、左右の側部フレーム１１，１１の下端部の前面にリベットやボルト等の固定手段によって固定されている（図３（ａ）参照）。
【００１９】
下端フレーム１２は、左右方向の中間部が後方に突出するように全体が円弧状に湾曲している。すなわち、下端フレーム１２は、患者Ｍの背部Ｍｂ（図１参照）に沿うように湾曲している。なお、下端フレーム１２は、左右の側部フレーム１１，１１よりも後方に突出しないように湾曲している。また、下端フレーム１２にはウレタン製の筒状の保護パット１２ａが外嵌されている。
【００２０】
上部枠体２０は、図３（ａ）に示すように、金属製のパイプを曲げ加工したものであり、左右一対の側部フレーム２１，２１と、左右の側部フレーム２１，２１の上端部同士を連結する上端フレーム２２と、が形成されている。左右の側部フレーム２１，２１は、下端フレームの両側部フレーム１１，１１に平行して配置されている。
なお、第一実施形態では、パイプを曲げ加工して上部枠体２０が形成されているが、上端フレーム２２の両端部を、左右の側部フレーム２１，２１の上端部にリベットやボルト等の固定手段によって固定してもよい。
【００２１】
上端フレーム２２の左右方向の中央部には、下方に向けて窪んでいる凹部２３が形成されている。
凹部２３は、左右一対の支持フレーム２４，２４と、左右の支持フレーム２４，２４の下端部同士を連結する底部フレーム２５と、によって形成されている。左右の支持フレーム２４，２４は底部フレーム２５に対して垂直に配置されている。凹部２３は、上端フレーム２２のパイプを曲げ加工することで形成されている。
【００２２】
凹部２３は、図１に示すように、体位補助具１を車椅子２の背板３に取り付けたときに、凹部２３内に患者Ｍの頭部Ｍａが配置される位置および大きさに形成されている（図８（ａ）および図９（ａ）参照）。
【００２３】
上部枠体２０の左右の側部フレーム２１，２１の幅は、図３（ａ）に示すように、下部枠体１０の左右の側部フレーム１１，１１の幅と同じである。
上部枠体２０の左右の側部フレーム２１，２１の下端部は、図２に示すように、下部枠体１０の左右の側部フレーム１１，１１の上端部の前方に配置されている（図４参照）。
【００２４】
下部枠体１０の左右の側部フレーム１１，１１の上端部には、板状の連結部材７０がリベットやボルト等の固定手段によって固定されている。連結部材７０には上部枠体２０の左右の側部フレーム２１，２１の下端部が回動自在に軸支されている。これにより、上部枠体２０は下部枠体１０に対して前後方向に傾動自在となっている（図７参照）。
【００２５】
上部枠体２０を下部枠体１０に対して傾動させることで、図７に示すように、下部枠体１０および上部枠体２０を開閉させることができる。下部枠体１０および上部枠体２０を二つ折りに折り畳んだときには、下部枠体１０および上部枠体２０が前面側で折り重なる。
また、下部枠体１０および上部枠体２０を開いた状態では、図３（ａ）に示すように、下部枠体１０および上部枠体２０によって長方形の枠体が形成される。
【００２６】
なお、下部枠体１０および上部枠体２０を開いたときには、上部枠体２０の左右の側部フレーム２１，２１の下部が、下部枠体１０の左右の側部フレーム１１，１１の上端部に前方から当接することで、上部枠体２０が下部枠体１０よりも後方に傾斜するのを防ぐことができる（図４参照）。
【００２７】
ロック部材３０は、図２に示すように、下部枠体１０および上部枠体２０が閉じるのを防ぐための部材である。ロック部材３０，３０は、上部枠体２０の左右の側部フレーム２１，２１の下部に取り付けられている。
【００２８】
ロック部材３０は、図５（ａ）に示すように、上部枠体２０の側部フレーム２１に嵌合される回動部３１と、下部枠体１０の側部フレーム１１に嵌合される嵌合部３２と、嵌合部３２の外面に設けられた突出片３３と、を備えている。さらに、ロック部材３０は、図５（ｂ）に示すように、回動部３１に形成された位置決め溝３４と、上部枠体２０の突起部２１ａに係合される係合溝３５と、を備えている。
【００２９】
回動部３１は、図５（ａ）に示すように、上部枠体２０の側部フレーム２１の外周面に嵌合される略半円形状の部位である。回動部３１は、上部枠体２０の側部フレーム２１に嵌合された状態で、側部フレーム２１の軸回り（上下方向の軸回り）に回動自在であるとともに、側部フレーム２１に対して上下方向に移動自在となっている。
【００３０】
嵌合部３２は、回動部３１の側部に連続して形成されており、下部枠体１０の側部フレーム１１の外周面に嵌合される略半円状の部位である。
回動部３１を上部枠体２０の側部フレーム２１の軸回りに回動させることで、嵌合部３２を側部フレーム１１に対して着脱させることができる。
【００３１】
図２に示すように、下部枠体１０および上部枠体２０を開いた状態で、二つのロック部材３０，３０の嵌合部３２，３２（図５（ａ）参照）を下部枠体１０の左右の側部フレーム１１，１１に嵌合させることで、下部枠体１０および上部枠体２０に対して両ロック部材３０，３０を固定することができる。これにより、下部枠体１０および上部枠体２０が固定されるため、下部枠体１０および上部枠体２０を開いた状態に保つことができる。
【００３２】
突出片３３は、図５（ａ）に示すように、嵌合部３２の外周面に突設された板状の部位である。ロック部材３０を回動および上下方向に移動させるときに、操作する人の指を突出片３３に押し当てることで、ロック部材３０を操作し易くなっている。
【００３３】
図５（ｂ）に示すように、回動部３１の上下方向の中間部には位置決め溝３４が開口している。回動部３１を上部枠体２０の側部フレーム２１に嵌合させるときに、側部フレーム２１の外周面に設けられた突起部２１ａを位置決め溝３４内に配置することで、ロック部材３０を側部フレーム２１の下端部に位置決めすることができる。
なお、突起部２１ａは、上部枠体２０の側部フレーム２１の外周面に取り付けられたボルトの頭部であるが、突起部２１ａの構成は限定されるものではない。
【００３４】
また、位置決め溝３４の上縁部には、突起部２１ａに係合される凹状の係合溝３５が形成されている。図５（ｃ）に示すように、ロック部材３０を側部フレーム１１に対して押し下げることで、係合溝３５が突起部２１ａに係合するように構成されている。係合溝３５に突起部２１ａが係合した状態では、回動部３１は側部フレーム１１に対して回動することができなくなり、ロック部材３０が側部フレーム２１に固定される。
【００３５】
二つのベルト４０，４０は、図１に示すように、下部枠体１０を車椅子２の背板３に取り付けるための帯状の部材である。ベルト４０は、図３（ａ）に示すように、両端部が下部枠体１０の左右の側部フレーム１１，１１の上部に取り付けられている。なお、ベルト４０は、スナップボタンを用いて側部フレーム１１に着脱自在に取り付けられているが、取付方法は限定されるものではない。
【００３６】
二つのベルト４０，４０は、上下方向に間隔を空けて配置されている。上下のベルト４０，４０は、図１に示すように、下部枠体１０を車椅子２の背板３の前面に重ねたときに、肘掛部４よりも上方に配置される。
【００３７】
ベルト４０は、図３（ａ）に示すように、左右方向の中間部で分割されており、差込式のバックル４１によって連結されている。
図１に示すように、体位補助具１を車椅子２の背板３に取り付ける場合には、下部枠体１０を背板３の前面に重ね合わせ、上下のベルト４０，４０のバックル４１，４１を背板３の後面側でそれぞれ連結する。このようにして、上下のベルト４０，４０を背板３に縛り付けることで、下部枠体１０を背板３の前面に取り付けることができる。
【００３８】
カバー５０は、図３（ａ）に示すように、下部枠体１０に被せられる下部袋体５１と、上部枠体２０に被せられる上部袋体５２と、を備えている。下部袋体５１および上部袋体５２は、図４に示すように、前面側で連続して形成されている。下部袋体５１および上部袋体５２の開口部５１ａ，５２ａは、カバー５０の後面側で上下に対向している。
【００３９】
上部袋体５２の上端部は開口しており、上部袋体５２を上部枠体２０に被せたときに、凹部２３の底部フレーム２５よりも上側の部位が上部袋体５２から突出するように構成されている。
【００４０】
カバー５０は、図３（ａ）に示すように、伸縮性を有するメッシュ状のシートによって袋状に形成されている。カバー５０は前後方向に透視可能な透視性を有している。すなわち、カバー５０全体に透視領域が形成されている。
【００４１】
下部袋体５１と上部袋体５２との間には、ベルト位置決め部５３が形成されている。ベルト位置決め部５３は、カバー５０の左右側縁部に亘って形成された帯状の部位である。ベルト位置決め部５３が上下二つのベルト４０，４０の間に配置されることで、上下のベルト４０，４０が位置決めされる。
【００４２】
カバー５０を下部枠体１０および上部枠体２０に被せる場合には、図６に示すように、下部袋体５１の開口部５１ａと上部袋体５２の開口部５２ａとの間を折り目として、カバー５０の前面側が折り重なるように、カバー５０を二つ折りに折り畳む。
さらに、下部枠体１０および上部枠体２０を折り畳み、下部枠体１０の下端部を下部袋体５１の開口部５１ａに挿入するとともに、上部枠体２０の上端部を上部袋体５２の開口部５２ａに挿入する。
その後、図２に示すように、下部枠体１０および上部枠体２０を開くことで、カバー５０を下部枠体１０および上部枠体２０に装着することができる。
【００４３】
なお、下部枠体１０および上部枠体２０を開いた状態では、カバー５０を下部枠体１０および上部枠体２０から取り外すことができない。したがって、体位補助具１の使用時にカバー５０が下部枠体１０および上部枠体２０から外れるのを防ぐことができる。
【００４４】
第一実施形態の体位補助具１では、図３（ａ）に示すように、凹部２３の両支持フレーム２４，２４には、二つの頭部支持ベルト６０，６０が左右方向に掛け渡されている。
頭部支持ベルト６０は、図９（ａ）に示すように、患者Ｍの頭部Ｍａおよび頸椎Ｍｃを支持するものである。
凹部２３内には、二つの頭部支持ベルト６０，６０が上下方向に間隔を空けて設けられており（図３（ａ）参照）、上下の頭部支持ベルト６０，６０によって、患者Ｍの頭部Ｍａおよび頚椎Ｍｃを安定して支持することができる。
【００４５】
頭部支持ベルト６０は、布製のベルトである。また、頭部支持ベルト６０には、両支持フレーム２４，２４の間において頭部支持ベルト６０の長さを変えるためのベルト長さ調節機構６１を有している。
【００４６】
頭部支持ベルト６０の左端部は、図８（ａ）に示すように、左側の支持フレーム２４の外周面に巻き付けられており、リベットなどの取付手段によって、支持フレーム２４に取り付けられている。
【００４７】
頭部支持ベルト６０の右側の部位は、前後に折り返されており、その折り返し部が右側の支持フレーム２４に巻き付けられている。頭部支持ベルト６０の右端部の前面は、両支持フレーム２４，２４の間で頭部支持ベルト６０の後面に重ね合わされている。
【００４８】
頭部支持ベルト６０の後面には、面ファスナー６２のループ６２ａが設けられている。また、頭部支持ベルト６０の右端部の前面には、面ファスナー６２のフック６２ｂが設けられている。
【００４９】
頭部支持ベルト６０では、ループ６２ａに対するフック６２ｂの接合位置を左右方向に変えることで、両支持フレーム２４，２４の間の区間の長さを変えることができる（図８（ｂ）参照）。すなわち、第一実施形態の体位補助具１では、頭部支持ベルト６０に設けられた面ファスナー６２によってベルト長さ調節機構６１が構成されている。
【００５０】
図８（ａ）に示すように、フック６２ｂを両支持フレーム２４，２４の間の略中央部でループ６２ａに接合した場合には、両支持フレーム２４，２４の間において頭部支持ベルト６０の長さが小さくなり、頭部支持ベルト６０の弛みが小さくなる。
図８（ｂ）に示すように、フック６２ｂを右側の支持フレーム２４の近くでループ６２ａに接合した場合には、両支持フレーム２４，２４の間において頭部支持ベルト６０の長さが大きくなり、頭部支持ベルト６０の弛みが大きくなる。
【００５１】
体位補助具１を運搬する場合には、図７に示すように、下部枠体１０および上部枠体２０を折り畳み、下側のベルト４０を上部枠体２０の後面側に掛け渡し、バックル４１を連結する。このようにして、下部枠体１０および上部枠体２０を下側のベルト４０で縛ることによって、下部枠体１０および上部枠体２０を閉じた状態に保つことができる。
そして、上側のベルト４０を肩掛け用や手提げ用のストラップとして利用して、体位補助具１を持ち運ぶことができる。
【００５２】
体位補助具１を車椅子２の背板３（図１参照）に取り付けるときには、図２に示すように、下部枠体１０および上部枠体２０を開いた状態にする。この状態で、左右のロック部材３０，３０を下部枠体１０の左右の側部フレーム１１に嵌合させる。これにより、下部枠体１０および上部枠体２０を開いた状態に保つことができる。
【００５３】
続いて、図１に示すように、患者Ｍの背部Ｍｂと車椅子２の背板３との間に体位補助具１を挿入する。このとき、下部枠体１０の下端フレーム１２（図２参照）から背部Ｍｂと背板３との間に挿入することになる。
下端フレーム１２は、図３（ｂ）に示すように、前後方向の厚さが小さくなるとともに、患者Ｍの背部Ｍｂ（図１参照）に沿うように湾曲している。したがって、図１に示すように、患者Ｍの背部Ｍｂと背板３との間に体位補助具１を挿入するときに、下端フレーム１２（図２参照）が患者Ｍの背部Ｍｂに押し付けられる圧力を低減することができる。
【００５４】
下部枠体１０を背板３の前面に重ね合わせた後に、上下のベルト４０，４０のバックル４１，４１を背板３の後面側でそれぞれ連結する。このようにして、上下のベルト４０，４０を背板３に縛り付けて、下部枠体１０を背板３の前面に取り付けることで、体位補助具１が背板３に固定される。
【００５５】
下部枠体１０を背板３に固定すると、図８（ａ）に示すように、患者Ｍの頭部Ｍａは上部枠体２０の凹部２３内に配置される。これにより、図９（ａ）に示すように、頭部Ｍａおよび頸椎Ｍｃが二つの頭部支持ベルト６０，６０によって支持される。
【００５６】
体位補助具１では、患者Ｍの顔を正面方向に向かせる場合には、図８（ａ）に示すように、両支持フレーム２４，２４の間において、両頭部支持ベルト６０，６０の弛みを小さくする。これにより、図９（ａ）に示すように、患者Ｍの頭部Ｍａは、両頭部支持ベルト６０，６０によって鉛直に起きた状態に支持され、患者Ｍの顔が正面方向に向いた状態となる。
【００５７】
また、体位補助具１では、患者Ｍの顔を上向きにする場合には、図８（ｂ）に示すように、両支持フレーム２４，２４の間において、両頭部支持ベルト６０，６０の弛みを大きくする。これにより、図９（ｂ）に示すように、患者Ｍの頭部Ｍａは、両頭部支持ベルト６０，６０によって支持された状態で後方に傾倒し、患者Ｍの顔が上向きになる。
【００５８】
以上のような体位補助具１は、図１に示すように、上下二つのベルト４０，４０によって車椅子２の背板３に対して安定させることができる。
体位補助具１を運搬するときには、図７に示すように、下側のベルト４０によって下部枠体１０および上部枠体２０が開くのを防ぐとともに、上側のベルト４０を肩掛け用や手提げ用のストラップとして利用することができるため、下部枠体１０および上部枠体２０を折り畳んだ状態で運搬し易くなっている。
【００５９】
また、体位補助具１では、車椅子２に着座した患者Ｍの体位を車椅子２の後方からカバー５０を通じて見ることができるため、治療時に患者Ｍの様子を車椅子２の後方から把握することができ、治療の安全性を高めることができる。
また、体位補助具１では、カバー５０が通気性を有するメッシュ状のシートによって形成されているため、患者Ｍの背部Ｍｂが蒸れるのを防ぐことができる。
【００６０】
また、体位補助具１では、図８（ｂ）および図９（ｂ）に示すように、頭部支持ベルト６０を緩めることで、患者Ｍの頭部Ｍａを後方に向けて傾倒させることができる。このように、体位補助具１では、頭部支持ベルト６０の長さを変えることで、患者Ｍの頭部Ｍａの角度を調整することができる。
さらに、体位補助具１では、ベルト長さ調節機構６１である面ファスナー６２の接合位置を変えることで、頭部支持ベルト６０の長さを簡単に微調整することができる。
したがって、体位補助具１では、歯科治療の治療内容に応じて、患者Ｍの頭部Ｍａを所望の角度に的確に傾倒させることができるため、患者Ｍを治療し易くなる。
【００６１】
以上、本発明の第一実施形態について説明したが、本発明は前記第一実施形態に限定されることなく、その趣旨を逸脱しない範囲で適宜に変更が可能である。
第一実施形態では、図８（ａ）および（ｂ）に示すように、面ファスナー６２によってベルト長さ調節機構６１が構成されているが、ベルト長さ調節機構６１の構成は限定されるものではなく、スナップボタンやバックルなどの各種の長さ調整手段を用いることもできる。
【００６２】
第一実施形態では、図３（ａ）に示すように、上端フレーム２２よりも下方に両支持フレーム２４，２４が形成されているが、両支持フレーム２４，２４を上端フレーム２２よりも上方に形成してもよい。
【００６３】
第一実施形態では、上下二つの頭部支持ベルト６０，６０が設けられているが、頭部支持ベルト６０の本数は限定されるものではなく、一つまたは三つ以上の頭部支持ベルト６０を設けてもよい。
また、患者の頭部を支持するための枕を頭部支持ベルト６０の前面に取り付けてもよい。さらに、頭部支持ベルト６０がカバー５０に覆われていてもよい。
【００６４】
第一実施形態のカバー５０では、メッシュ状のシートによって透視領域が形成されているが、その構成は限定されるものではない。
例えば、透視領域はポリ塩化ビニル製の透明なシートによって形成してもよい。また、透視領域は複数の穴や溝が開口したシートによって形成してもよい。さらに、透視領域は複数の帯状のシートや複数の紐を並設または格子状に配置することで形成してもよい。
【００６５】
また、第一実施形態では、図１に示すように、車椅子２の背板３の前面に下部枠体１０が重ねられているが、背板３の後面に下部枠体１０を重ねて固定してもよい。
【００６６】
また、第一実施形態では、下部枠体１０に上下二つのベルト４０，４０が設けられているが、二つ以上のベルト４０を設けてもよい。また、複数のベルト４０を上部枠体２０に設けてもよく、下部枠体１０および上部枠体２０の両方に設けてもよい。
【００６７】
また、第一実施形態では、図３（ａ）に示すように、二つのロック部材３０が上部枠体２０に設けられているが、ロック部材３０の形状および数は限定されるものではない。さらに、ロック部材３０を下部枠体１０に設けてもよい。
【００６８】
また、第一実施形態のカバー５０は、下部袋体５１および上部袋体５２が形成されているが、カバー５０を一つの袋体によって構成し、カバー５０の外周縁部にファスナーを設けることで、カバー５０の外周縁部に開口部を設けてもよい。
【００６９】
また、第一実施形態では、下部枠体１０および上部枠体２０が金属材料によって形成されているが、強度を十分に確保することができるのであれば、下部枠体１０および上部枠体２０の全体または一部にカーボン等の樹脂材料を用いてもよい。
【００７０】
また、第一実施形態では、枠体が下部枠体１０および上部枠体２０に分割されているが、下部枠体および上部枠体を一体に形成してもよい。すなわち、左右一対の側部フレームと、下端フレームおよび上端フレームとによって枠体を構成してもよい。
【００７１】
［第二実施形態］
次に、本発明の第二実施形態に係る体位補助具１Ａについて説明する。
第二実施形態の体位補助具１Ａは、図１０に示すように、前記した第一実施形態の体位補助具１と略同様の構成であり、左右の支持フレーム２４，２４の構成と、枕６５が設けられている点とが異なっている。
【００７２】
第二実施形態の上部枠体２０では、側部フレーム２１の上端部に連続して支持フレーム２４が形成されている。このように、第二実施形態では、側部フレーム２１と支持フレーム２４とが一体に形成されている。
そして、第二実施形態の上部枠体２０では、両支持フレーム２４，２４が上端フレーム２２よりも上方に突出している。また、両支持フレーム２４，２４には一つの頭部支持ベルト６０が掛け渡されている。
【００７３】
第二実施形態の体位補助具１Ａでは、両支持フレーム２４，２４の間に枕６５が設けられている。枕６５は、患者Ｍの頭部Ｍａおよび頸椎Ｍｃ（図１２（ａ）参照）を支持するものであり、両支持フレーム２４，２４の間の中央部に配置されている。
【００７４】
枕６５は、図１２（ａ）に示すように、ウレタン製の本体部６６と、本体部６６に取り付けられた支持部材６７と、を備えている。
本体部６６は、内部のウレタン材に対して表層のウレタン材が低反発で軟らかくなっている。このように、本体部６６を固さが異なるウレタン材によって二重構造にすることで、本体部６６は患者Ｍの頭部Ｍａおよび頚椎Ｍｃを支持するのに適した硬さとなっている。
【００７５】
また、本体部６６は、上部から下部に向かうに従って前方に突出しており、略台形状の側断面となっている。また、本体部６６の前面は中央部が窪むように湾曲している。このような形状の本体部６６では、患者Ｍの頭部Ｍａおよび頚椎Ｍｃを安定して支持することができる。
【００７６】
支持部材６７は、本体部６６を上端フレーム２２に対して所定の高さに支持するものである。支持部材６７の下端部は上端フレーム２２に取り付けられている。また、支持部材６７の上端部は本体部６６の下面に取り付けられている。
支持部材６７の基端部は、蝶番６８を介して上端フレーム２２に取り付けられている。支持部材６７および本体部６６は、図１２（ｂ）に示すように、蝶番６８を回動中心として、上端フレーム２２の後側の領域において、前後方向に傾動自在である。
【００７７】
図１１（ａ）に示すように、枕６５の後面には、左右方向に貫通したベルト挿通部６５ａが形成されている。ベルト挿通部６５ａには、頭部支持ベルト６０が挿通されている。これにより、枕６５の後面が頭部支持ベルト６０に支持されている。
【００７８】
第二実施形態の体位補助具１Ａでは、患者Ｍの顔を正面方向に向かせる場合には、図１１（ａ）に示すように、両支持フレーム２４，２４の間において、頭部支持ベルト６０の弛みを小さくする。これにより、図１２（ａ）に示すように、枕６５は、頭部支持ベルト６０によって鉛直に起きた状態に支持され、患者Ｍの顔が正面方向に向いた状態となる。
【００７９】
また、第二実施形態の体位補助具１Ａでは、患者Ｍの顔を上向きにする場合には、図１１（ｂ）に示すように、両支持フレーム２４，２４の間において、頭部支持ベルト６０の弛みを大きくする。これにより、図１２（ｂ）に示すように、枕６５は、頭部支持ベルト６０によって支持された状態で後方に傾倒し、患者Ｍの顔が上向きになる。
さらに、患者Ｍの顔を上向きから正面方向に戻す場合には、図１２（ａ）に示すように、頭部支持ベルト６０の弛みを小さくして、枕６５を前方に向けて傾動させることで、患者Ｍの頭部Ｍａを起き上がらせる。
【００８０】
以上のような第二実施形態の体位補助具１Ａでは、図１２（ｂ）に示すように、頭部支持ベルト６０を緩めることで、枕６５を後方に向けて傾倒させることができる。このように、体位補助具１Ａでは、頭部支持ベルト６０の長さを調整することで、枕６５の角度を簡単に微調整することができ、患者Ｍの頭部Ｍａを所望の角度に的確に傾倒させることができる。
【００８１】
以上、本発明の第二実施形態について説明したが、本発明は前記第二実施形態に限定されるものではなく、前記第一実施形態と同様に、その趣旨を逸脱しない範囲で適宜に変更が可能である。
【符号の説明】
【００８２】
１      体位補助具（第一実施形態）
１Ａ    体位補助具（第二実施形態）
２      車椅子
３      背板
１０    下部枠体
１１    側部フレーム
１２    下端フレーム
２０    上部枠体
２１    側部フレーム
２２    上端フレーム
２３    凹部
２４    支持フレーム
２５    底部フレーム
３０    ロック部材
４０    ベルト
５０    カバー
５１    下部袋体
５２    上部袋体
６０    頭部支持ベルト
６１    ベルト長さ調節機構
６２    面ファスナー
６２ａ  ループ
６２ｂ  フック
６５    枕
６６    本体部
６７    支持部材
６８    蝶番
Ｍ      患者（使用者）
Ｍａ    頭部
Ｍｃ    頚椎
【図１】
0006397306.tif 000002
【図２】
0006397306.tif 000003
【図３】
0006397306.tif 000004
【図４】
0006397306.tif 000005
【図５】
0006397306.tif 000006
【図６】
0006397306.tif 000007
【図７】
0006397306.tif 000008
【図８】
0006397306.tif 000009
【図９】
0006397306.tif 000010
【図１０】
0006397306.tif 000011
【図１１】
0006397306.tif 000012
【図１２】
0006397306.tif 000013